【手続補正書】
【提出日】平成27年8月31日(2015.8.31)
【手続補正１】
【補正対象書類名】特許請求の範囲
【補正対象項目名】全文
【補正方法】変更
【補正の内容】
【特許請求の範囲】
【請求項１】
２種類の指示信号を出力するように構成されたポインタデバイスと接続された、ＯＣＴ撮像装置用のインタラクティブ制御装置であって、
前記ポインタデバイスによって制御される仮想ポインタにより選択されるアイコンを有するグラフィカル・ユーザ・インターフェースを表示ユニット上に表示するように構成された表示制御ユニットと、
前記仮想ポインタの下のアイコンを選択するための前記ポインタデバイスの第１の指示信号を検出するように、および、前記ポインタデバイスの第２の指示信号を検出するように構成された検出ユニットと、
前記ＯＣＴ撮像装置の準備ステータスを取得するように構成された取得ユニットと、
前記第１の指示信号の検出に応答して、前記検出された第１の指示信号により選択されるアイコンに応じた特定の動作を、前記ＯＣＴ撮像装置に指示するように、および、前記第２の指示信号の検出に応答して、前記第２の指示信号が検出されたときの前記準備ステータスに応じた特定の動作を、前記ＯＣＴ撮像装置に指示するように構成された制御ユニットと
を備えることを特徴とするインタラクティブ制御装置。
【請求項２】
前記制御ユニットが、前記第２の指示信号の検出に応答して、前記第２の指示信号が検出されたときに前記仮想ポインタの下にあるアイコンに応じた特定の動作を、前記ＯＣＴ撮像装置に対して指示しないように構成されている、ことを特徴とする請求項１に記載のインタラクティブ制御装置。
【請求項３】
ポインタデバイスと接続された、ＯＣＴ撮像装置用のインタラクティブ制御装置であって、
グラフィカル・ユーザ・インターフェースを表示ユニットに表示するように構成された表示制御ユニットと、
第１の指示信号および第２の指示信号の出力、ならびに、前記グラフィカル・ユーザ・インターフェース上の仮想ポインタの位置を検出するように構成された検出ユニットと、
前記ＯＣＴ撮像装置の準備ステータスを取得するように構成された取得ユニットと、
制御ユニットとを備え、前記制御ユニットが、
前記ポインタデバイスからの前記第１の指示信号の出力によってトリガされて、前記グラフィカル・ユーザ・インターフェースおよび前記検出された位置に応じた特定の動作を、前記ＯＣＴ撮像装置に指示する第１の制御、または
前記ポインタデバイスからの前記第２の指示信号の出力によってトリガされて、前記第２の指示信号が検出されたときの前記準備ステータスに応じた特定の動作を、前記ＯＣＴ撮像装置に指示する第２の制御
を実行するように構成されていることを特徴とするインタラクティブ制御装置。
【請求項４】
前記ポインタデバイスから出力された前記第１の指示信号または前記第２の指示信号に応じて、前記第１の制御または前記第２の制御を実行するか否かを判定するように構成された判定ユニット
をさらに備えることを特徴とする、請求項３に記載のインタラクティブ制御装置。
【請求項５】
指示信号および仮想ポインタの位置を出力するポインタデバイスと接続された、ＯＣＴ撮像装置用のインタラクティブ制御装置であって、
被写体の撮像を実行するために調整される複数の素子を有する前記ＯＣＴ撮像装置の準備ステータスを取得するように構成された取得ユニットと、
前記ポインタデバイスの指示信号に応答して、前記取得された準備ステータスに基づいて、調整が完了していない少なくとも１つの素子の調整を指示するように構成された制御ユニットと
を備えることを特徴とするインタラクティブ制御装置。
【請求項６】
被写体の撮像を実行するための前記複数の素子を調整する順番を記憶するように構成された記憶ユニット
をさらに備え、
前記制御ユニットは、複数の指示信号が前記ポインタデバイスから出力された場合に、前記記憶された順番で連続的に前記複数の素子の調整を指示するように構成されていることを特徴とする、請求項５に記載のインタラクティブ制御装置。
【請求項７】
前記制御ユニットは、前記取得ユニットが、前記複数の素子の調整の完了を示す準備ステータスを取得した場合に、前記ＯＣＴ撮像装置に対してＯＣＴ撮像の開始を指示するように構成されている、
ことを特徴とする請求項５に記載のインタラクティブ制御装置。
【請求項８】
２種類の指示信号を出力するように構成されたポインタデバイスと接続された、ＯＣＴ撮像装置用のインタラクティブ制御装置であって、
被写体の撮像を実行するために調整される複数の素子を有する前記ＯＣＴ撮像装置の調整ステータスを取得するように構成された取得ユニットと、
第１の指示信号および第２の指示信号の出力、ならびに、表示画面上の仮想ポインタの位置を検出するように構成された検出ユニットと、
前記第１の指示信号により選択される前記複数の素子の手動調整を指示するための第１のグラフィカル・ユーザ・インターフェースを前記表示画面上に表示するように、および、前記第１の指示信号により選択される前記複数の素子の自動調整を指示するための第２のグラフィカル・ユーザ・インターフェースを表示するように構成された表示制御ユニットと、
制御ユニットとを備え、前記制御ユニットが、
前記第１の指示信号に応答して、前記第１の指示信号により選択された前記グラフィカル・ユーザ・インターフェースに応じて、前記手動調整を指示し、
前記第１の指示信号に応答して、前記第１の指示信号により選択された前記グラフィカル・ユーザ・インターフェースに応じて、前記自動調整を指示し、および
前記第２の指示信号に応答して、前記第２の指示信号が検出されたときの前記調整ステータスに応じて、前記自動調整を指示する
ように構成されていることを特徴とするインタラクティブ制御装置。
【請求項９】
２つのボタンを有するポインタデバイスと接続された、ＯＣＴ撮像装置用のインタラクティブ制御装置であって、
複数のアイコンを有するグラフィカル・ユーザ・インターフェースを表示するように構成された表示制御ユニットと、
前記グラフィカル・ユーザ・インターフェース上のアイコンを選択するための第１のボタンのクリックを検出するように、および、第２のボタンのクリックを検出するように構成された検出ユニットと、
前記ＯＣＴ撮像装置の被写体を撮像する準備が整っているか否かを判定するように構成された判定ユニットと、
前記判定ユニットによって、前記ＯＣＴ撮像装置の準備が整っていることが判定された場合に、前記第１のボタンのクリックまたは前記第２のボタンのクリックの検出に応答して、前記ＯＣＴ撮像装置に対してＯＣＴ撮像の開始を指示するように構成された制御ユニットと
を備えることを特徴とするインタラクティブ制御装置。
【請求項１０】
２つのボタンを有するポインタデバイスと接続された、ＯＣＴ撮像装置用のインタラクティブ制御装置であって、
グラフィカル・ユーザ・インターフェースを表示画面上に表示するように構成された表示制御ユニットと、
前記グラフィカル・ユーザ・インターフェース上の仮想ポインタの位置、前記仮想ポインタの下のグラフィカル・ユーザ・インターフェースを選択するための第１のボタンのクリック、および第２のボタンのクリックを検出するように構成された検出ユニットと、
被写体を撮像するための準備のために調整される複数の素子を有する前記ＯＣＴ撮像装置の準備ステータスを取得するように構成された取得ユニットと、
前記ＯＣＴ撮像装置の前記準備ステータスに応じて、前記素子の調整のうちの少なくとも１つの調整を前記第２のボタンのクリックに対応する処理に割り当てるように構成された制御ユニットと
を備えることを特徴とするインタラクティブ制御装置。
【請求項１１】
前記制御ユニットが、前記グラフィカル・ユーザ・インターフェース上の前記仮想ポインタの位置に応じて、前記素子の調整のうちの少なくとも１つの調整を前記第１のボタンのクリックに対応する処理に割り当てるようにさらに構成されている、
ことを特徴とする請求項１０に記載のインタラクティブ制御装置。
【手続補正２】
【補正対象書類名】明細書
【補正対象項目名】０００６
【補正方法】変更
【補正の内容】
【０００６】
また、インタラクティブ制御装置は、第１の指示信号が検出されると、検出された第１の指示信号により選択されたアイコンに応じた特定の動作を、ＯＣＴ撮像装置に指示するように構成された制御ユニットを含む。また、制御ユニットは、第２の指示信号が検出されると、第２の指示信号が検出されたときの準備ステータスに応じた特定の動作を、ＯＣＴ撮像装置に指示するようにさらに構成されている。